(57)【要約】【課題】順序化の精度及び信頼性を飛躍的に向上させる。【解決手段】ウェブページを公開する複数のウェブサーバ１と、検索キーワードが入力される入力端末２と、前記検索キーワードが含まれるウェブページを検索するウェブページ検索サーバ３と、これらを通信可能に接続するネットワーク４と、を備え、前記ウェブページ検索サーバ３が、前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段３１２を備える。【選択図】図１
2011022624.tif 000002
【特許請求の範囲】
【請求項１】
ウェブページを公開する複数のウェブサーバと、検索キーワードが入力される入力端末と、前記検索キーワードが含まれるウェブページを検索するウェブページ検索サーバと、これらを通信可能に接続するネットワークと、を備え、
前記ウェブページ検索サーバが、
前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段を備えることを特徴とするウェブページ検索システム。
【請求項２】
前記ウェブページ検索サーバが、
前記検索キーワードが含まれるウェブページのＵＲＬ及び付加情報を取得する対象ＵＲＬ情報取得処理手段と、
取得した各ＵＲＬについて回帰率を算出する前記回帰率取得処理手段と、
取得した各ＵＲＬを、その付加情報及び回帰率にもとづいて順序化する対象ＵＲＬ順序化処理手段と、
順序化したＵＲＬの情報を前記入力端末に出力するＵＲＬ情報出力処理手段と、を備える請求項１記載のウェブページ検索システム。
【請求項３】
前記回帰率取得処理手段が、
前記抽出キーワードが含まれるウェブページのＵＲＬ及び付加情報を取得するとともに、各ＵＲＬを付加情報にもとづいて順序化し、上位ｎ件のＵＲＬを対象として前記検索キーワードが含まれる割合を算出する請求項１又は２記載のウェブページ検索システム。
【請求項４】
前記回帰率取得処理手段が、
前記検索キーワードを除き、各ウェブページにおいて出現頻度が最大の単語を抽出キーワードとして抽出する請求項１〜３のいずれか一項に記載のウェブページ検索システム。
【請求項５】
前記回帰率取得処理手段が、
各ウェブページにおいて前記検索キーワードを含む文章を抽出するとともに、この文章の形態素解析により得られる単語を抽出キーワードとして抽出する請求項１〜３のいずれか一項に記載のウェブページ検索システム。
【請求項６】
ウェブページを公開する複数のウェブサーバと、検索キーワードが入力される入力端末と、前記検索キーワードが含まれるウェブページを検索するウェブページ検索サーバと、これらを通信可能に接続するネットワークと、を用い、
前記ウェブページ検索サーバに、
前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手順を実行させることを特徴とするウェブページ検索方法。
【請求項７】
前記ウェブページ検索サーバに、
前記検索キーワードが含まれるウェブページのＵＲＬ及び付加情報を取得する対象ＵＲＬ情報取得処理手順と、
取得した各ＵＲＬについて回帰率を算出する前記回帰率取得処理手順と、
取得した各ＵＲＬを、その付加情報及び回帰率にもとづいて順序化する対象ＵＲＬ順序化処理手順と、
順序化したＵＲＬの情報を前記入力端末に出力するＵＲＬ情報出力処理手順と、を実行させる請求項６記載のウェブページ検索方法。
【請求項８】
ウェブページを公開する複数のウェブサーバと、検索キーワードが入力される入力端末とに対し、ネットワークを介して通信可能に接続され、前記検索キーワードが含まれるウェブページを検索するにあたり、
前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段を備えることを特徴とするウェブページ検索サーバ。
【請求項９】
前記検索キーワードが含まれるウェブページのＵＲＬ及び付加情報を取得する対象ＵＲＬ情報取得処理手段と、
取得した各ＵＲＬについて回帰率を算出する前記回帰率取得処理手段と、
取得した各ＵＲＬを、その付加情報及び回帰率にもとづいて順序化する対象ＵＲＬ順序化処理手段と、
順序化したＵＲＬの情報を前記入力端末に出力するＵＲＬ情報出力処理手段と、を備える請求項８記載のウェブページ検索サーバ。
【請求項１０】
ウェブページを公開する複数のウェブサーバと、検索キーワードが入力される入力端末とに対し、ネットワークを介して通信可能に接続され、前記検索キーワードが含まれるウェブページを検索するコンピュータのプログラムであり、
前記コンピュータを、
前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段として機能させることを特徴とするウェブページ検索プログラム。
【請求項１１】
前記コンピュータを、
前記検索キーワードが含まれるウェブページのＵＲＬ及び付加情報を取得する対象ＵＲＬ情報取得処理手段、
取得した各ＵＲＬについて回帰率を算出する前記回帰率取得処理手段、
取得した各ＵＲＬを、その付加情報及び回帰率にもとづいて順序化する対象ＵＲＬ順序化処理手段、
順序化したＵＲＬの情報を前記入力端末に出力するＵＲＬ情報出力処理手段、として機能させる請求項１０記載のウェブページ検索プログラム。
【発明の詳細な説明】
【技術分野】
【０００１】
本発明は、入力された検索キーワードが含まれるウェブページ（Ｗｅｂ  ｐａｇｅ）を検索し、検索したウェブページのＵＲＬ（Ｕｎｉｆｏｒｍ  Ｒｅｓｏｕｒｃｅ  Ｌｏｃａｔｏｒ）を順序化して出力するウェブページ検索システム、ウェブページ検索方法、ウェブページ検索サーバ及びウェブページ検索プログラムに関する。
【背景技術】
【０００２】
入力された検索キーワードが含まれるウェブページを検索し、検索したウェブページのＵＲＬを順序化して出力するウェブページ検索システムが広く普及している。
ここで、通常、検索したウェブページの順序化は、クローラ（検索ロボット）が収集したウェブページの付加情報（更新年月日、ページ容量、キーワード出現頻度など）にもとづいて行われている。
しかしながら、収集される付加情報は、他サイトとのリンク情報を除き、そのウェブページ内で閉じた情報であるため、インターネット上に存在する膨大な他サイトの情報を利用した客観的な順序化は困難であり、また、順序化によって上位にランクされたウェブページであっても、その情報の真偽については不明であった。
【０００３】
なお、他サイトとのリンク情報は、客観的な順序化の判定要素となり得る。
すなわち、他サイトによる被リンク数は、そのウェブページの注目度を示す尺度といえるので、順序化の判定要素とすることにより、順序化の精度を高めることが可能である。
しかしながら、既に被リンク数にもとづいて順序化を行っているウェブページ検索システムでは、順序化の精度をさらに向上させることが困難であった。
また、他サイトによるリンク数は、他サイト運営者による注目度を示す指標であるため、検索者の注目度と一致しない場合、順位化の精度を低下させる可能性があった。
【０００４】
また、検索者の好みに応じた順序化を行うウェブページ検索システムも提案されている。
例えば、特許文献１に示されるウェブページ検索システムは、検索結果の対象ＵＲＬについて付加情報のランク化を行うとともに、各付加情報の重み付けをし、どの付加情報が重要であるかという優先度を検索者ごとに蓄積することによって、検索者の望む順序で対象ＵＲＬを表示するようになっている。
【先行技術文献】
【特許文献】
【０００５】
【特許文献１】特開２００４−２７２４９２号公報
【発明の概要】
【発明が解決しようとする課題】
【０００６】
しかしながら、特許文献１に示されるウェブページ検索システムでは、対象ＵＲＬの表示順序が、ウェブページ作成者の作成方法に完全に依存してしまうという問題があった。
その理由は、ウェブページ内の閉じた付加情報しか参照しないため、ウェブページの情報の内容とは無関係に、更新日時、ページ容量、キーワード出現頻度などを調節することにより、表示順序を意図的に上下させることができるからである。
したがって、前述したように、インターネット上に存在する膨大な他サイトの情報を利用した客観的な順序化を行わない限り、順序化の精度をさらに向上させることは困難と言える。
【０００７】
本発明の目的は、上述した課題である、インターネット上のウェブページ検索結果の意図的な表示順序の操作を抑制して、順序化の精度及び信頼性を向上させることができるウェブページ検索システム、ウェブページ検索方法、ウェブページ検索サーバ及びウェブページ検索プログラムの提供を目的とする。
【課題を解決するための手段】
【０００８】
上記目的を達成するため本発明のウェブページ検索システムは、ウェブページを公開する複数のウェブサーバと、検索キーワードが入力される入力端末と、前記検索キーワードが含まれるウェブページを検索するウェブページ検索サーバと、これらを通信可能に接続するネットワークと、を備え、前記ウェブページ検索サーバが、前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段を備える構成としてある。
【０００９】
また、本発明のウェブページ検索方法は、ウェブページを公開する複数のウェブサーバと、検索キーワードが入力される入力端末と、前記検索キーワードが含まれるウェブページを検索するウェブページ検索サーバと、これらを通信可能に接続するネットワークと、を用い、前記ウェブページ検索サーバに、前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手順を実行させる方法としてある。
【００１０】
また、本発明のウェブページ検索サーバは、ウェブページを公開する複数のウェブサーバと、検索キーワードが入力される入力端末とに対し、ネットワークを介して通信可能に接続され、前記検索キーワードが含まれるウェブページを検索するにあたり、前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段を備える構成としてある。
【００１１】
また、本発明のウェブページ検索プログラムは、ウェブページを公開する複数のウェブサーバと、検索キーワードが入力される入力端末とに対し、ネットワークを介して通信可能に接続され、前記検索キーワードが含まれるウェブページを検索するコンピュータのプログラムであり、前記コンピュータを、前記検索キーワードを含むウェブページが検索された後、各ウェブページにおいて前記検索キーワードと関連の強い単語を抽出キーワードとして抽出するとともに、抽出キーワードが含まれるウェブページを検索し、これらのウェブページに前記検索キーワードが含まれている割合を回帰率として算出する回帰率取得処理手段として機能させる構成としてある。
【発明の効果】
【００１２】
本発明によれば、単一のウェブページ内の閉じた情報だけでなく、ネットワーク上に存在する他サイトの情報を利用した客観的な順序化を行うことにより、意図的な表示順序の操作を抑制し、順序化の精度及び信頼性を飛躍的に向上させることができる。
【図面の簡単な説明】
【００１３】
【図１】本発明の一実施形態に係るウェブページ検索システムの概略構成を示すブロック図である。
【図２】本発明の一実施形態に係るウェブページ検索システムの具体的な構成を示すブロック図である。
【図３】ＵＲＬ情報蓄積テーブル及び回帰率設定テーブルの説明図である。
【図４】本発明の一実施形態に係る回帰率取得処理の処理手順を示すフローチャートである。
【発明を実施するための形態】
【００１４】
以下、本発明のウェブページ検索システム、ウェブページ検索方法、ウェブページ検索サーバ及びウェブページ検索プログラムの実施形態について、図面を参照して説明する。
なお、以下に示す本発明のウェブページ検索システム及びウェブページ検索サーバで実行される処理動作（ウェブページ検索方法）は、プログラム（ソフトウェア）の命令によりコンピュータで実行される処理，手段，機能によって実現される。
プログラムは、コンピュータの各構成要素に指令を送り、以下に示すような本発明の所定の処理、例えば、ウェブページ検索サーバを構成するコンピュータに、検索キーワードを含むウェブページが検索された後、各ウェブページにおいて検索キーワードと関連の強い単語を抽出キーワードとして抽出するキーワード抽出処理、抽出キーワードが含まれるウェブページを検索してこれらのウェブページに検索キーワードが含まれている割合を回帰率として算出する回帰率取得処理、検索キーワードが含まれるウェブページのＵＲＬ及び付加情報を取得する対象ＵＲＬ情報取得処理と、取得した各ＵＲＬについて回帰率を算出する処理、取得した各ＵＲＬを、その付加情報及び回帰率にもとづいて順序化する対象ＵＲＬ順序化処理、順序化したＵＲＬの情報を入力端末に出力するＵＲＬ情報出力処理等の各処理・手順を行わせる。
【００１５】
このように、本発明における各処理や手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１６】
図１は、本発明の一実施形態に係るウェブページ検索システムの概略構成を示すブロック図である。
この図に示すように、本発明の実施形態に係るウェブページ検索システムは、ウェブページを公開する複数のウェブサーバ１と、検索キーワードが入力される入力端末２と、検索キーワードが含まれるウェブページを検索するウェブページ検索サーバ３と、これらを通信可能に接続するインターネットなどのネットワーク４とを備えている。
【００１７】
ウェブページ検索サーバ３は、検索したウェブページを順序化して入力端末２に出力するにあたり、順序化の判定要素となる回帰率を取得する回帰率取得処理手段３１２を備えている。
この回帰率取得処理手段３１２は、検索キーワードを含むウェブページが検索された後、各ウェブページにおいて検索キーワードと関連の強い単語を抽出キーワードとして抽出するとともに、抽出キーワードが含まれるウェブページを検索し、これらのウェブページに検索キーワードが含まれている割合を回帰率として算出するようになっている。
【００１８】
ここで、上記の回帰率は、ネットワーク４上に存在する他サイト（抽出キーワードを含むウェブページ）の情報を利用して得られる客観的な尺度であり、検索キーワードを含む各ウェブページの内容の信頼性を示す指標となるので、順序化の判定要素として有用である。
このようにすると、単一のウェブページ内の閉じた情報だけでなく、ネットワーク４上に存在する他サイトの情報を利用した客観的な順序化を行うことができるので、意図的な表示順序の操作を抑制し、順序化の精度及び信頼性を飛躍的に向上させることができる。
【００１９】
つぎに、本発明の一実施形態に係るウェブページ検索システム（ウェブページ検索サーバ）の具体的な構成について、図２及び図３を参照して説明する。
図２は、本発明の一実施形態に係るウェブページ検索システムの具体的な構成を示すブロック図、図３は、ＵＲＬ情報蓄積テーブル及び回帰率設定テーブルの説明図である。
図２に示すように、本実施形態に係るウェブページ検索サーバ３は、ＵＲＬ情報取得サーバ３１と、ＵＲＬ情報などを蓄積するＤＢサーバ３２とを備えている。
また、ＵＲＬ情報取得サーバ３１は、対象ＵＲＬ情報取得処理手段３１１と、前述した回帰率取得処理手段３１２と、対象ＵＲＬ順序化処理手段３１３と、ＵＲＬ情報出力処理手段３１４とを備えており、ＤＢサーバ３２は、ＵＲＬ情報蓄積テーブル３２１と、回帰率蓄積テーブル３２２を備えている。
【００２０】
図３に示すように、ＵＲＬ情報蓄積テーブル３２１は、検索キーワード３２１１、対象ＵＲＬ３２１２、ページタイトル３２１３、ＵＲＬ更新年月日３２１４、ページ容量３２１５、キーワード出現頻度３２１６などの情報を格納し、回帰率蓄積テーブル３２２は、検索キーワード３２２１、対象ＵＲＬ３２２２、回帰率３２２３、回帰率探索件数３２２４などを格納する。
【００２１】
対象ＵＲＬ情報取得処理手段３１１は、入力端末２から入力された検索キーワードに対応する対象ＵＲＬ３２１２と、そのＵＲＬの付加情報（３２１３〜）を取得する。ここで、検索キーワード（Ａとする）に対応する対象ＵＲＬとは、ＵＲＬ情報蓄積テーブル３２１の検索キーワード３２１１と検索キーワードＡが一致するレコードの対象ＵＲＬ３１２のことを示す。
回帰率取得処理手段３１２は、対象ＵＲＬ情報取得処理手段３１１で取得したＵＲＬリスト各々の回帰率を算出し、回帰率蓄積テーブル３２２の回帰率３２２３に設定する。なお、この回帰率の具体的な算出方法は、図４に示し、その説明は後述する。
【００２２】
対象ＵＲＬ順序化処理手段３１３は、対象ＵＲＬ情報取得処理手段３１１で取得した各ＵＲＬについて、ＵＲＬ情報蓄積テーブル３２１より取得した付加情報（３２１３〜）と回帰率３２２３を組み合わせて、ＵＲＬを順序化する。
ＵＲＬ情報出力処理手段３１４は、対象ＵＲＬ順序化処理手段３１３で順序化したＵＲＬ情報を入力端末２に出力する。
【００２３】
検索キーワード３２１１は、ウェブページを検索する際に入力される単語である。
また、ＵＲＬ情報蓄積テーブル３２１から各情報（３２１２〜）を取得する際にキーとなる属性である。
対象ＵＲＬ３２１２は、検索キーワード３２１１を含むウェブサイトのＵＲＬである。
ページタイトル３２１３〜キーワード出現頻度３２１６などは、対象ＵＲＬ３２１２の付加情報である。
【００２４】
検索キーワード３２２１は、ウェブページを検索する際に入力される単語である。また、回帰率蓄積テーブル３２２から各情報（３２２２〜）を取得する際にキーとなる属性である。
対象ＵＲＬ３２２２は、検索キーワード３２２１を含むウェブページのＵＲＬである。また、回帰率蓄積テーブル３２２は、検索キーワード３２２１、対象ＵＲＬ３２２２をキーとして、情報の取得、格納を行う。
回帰率３２２３は、回帰率取得処理手段３１２で取得した回帰率を格納する。
回帰率探索件数３２２４は、１件の対象ＵＲＬに対して、回帰率を算出する際に、探索するウェブページの件数を格納する。
【００２５】
つぎに、本発明の実施形態に係るウェブページ検索システムの動作について、図２〜図４を参照して説明する。
入力端末２から与えられた検索キーワードＳＷ１は、ネットワーク４を介してＵＲＬ情報取得サーバ３１の対象ＵＲＬ情報取得処理手段３１１に供給される。
対象ＵＲＬ情報取得処理手段３１１は、ＵＲＬ情報蓄積テーブル３２１より検索キーワードＳＷ１に対応する対象ＵＲＬ群ＵＬ１と、その付加情報（ページタイトル、ＵＲＬ更新年月日、ページ容量、キーワード出現頻度など）を取得する。
そして、得られた対象ＵＲＬ群ＵＬ１の情報をそれぞれ回帰率取得処理手段３１２に供給する。
【００２６】
図４は、本発明の実施形態に係る回帰率取得処理の処理手順を示すフローチャートである。
この図に示すように、回帰率取得処理手段３１２は、まず、ステップＳ１０１により、対象ＵＲＬ群ＵＬ１に含まれる対象ＵＲＬ・ＵＡの中で検索キーワードＳＷ１と関連の強い自立語（単語）を抽出キーワードＣＷ１として抽出する。
ここで、関連の強い自立語とは、ＵＲＬ情報蓄積テーブル３２１で、対象ＵＲＬ・ＵＡに対応するキーワード出現頻度のランク値が最大（検索キーワードＳＷ１を除く）の検索キーワードとする。
ランク値については、ステップＳ１０３の説明と共に後に述べる。
【００２７】
つぎに、回帰率取得処理手段３１２は、ステップＳ１０２により、抽出キーワードＣＷ１に対応する対象ＵＲＬ群ＵＬ２と、その付加情報をＵＲＬ情報蓄積テーブル３２１から取得する。
また、回帰率取得処理手段３１２は、ステップＳ１０３により、周知の方法で対象ＵＲＬ群ＵＬ２の順序化を行う。
対象ＵＲＬ群ＵＬ２の順序化では、まず、付加情報をランク化する。
【００２８】
ここで、ランク化とは、その付加情報の値の重要度を示す値であり、ランク値が大きいほど上位の順位で表示されるようになる。
例えば、ＵＲＬ更新年月日をランク化する場合、更新年月日が今日であるものはランク１００、昨日であるものはランク９９、一昨日であるものは９８（更新年月日が新しい方が重要度が高い）というようにランク化する。
つぎに、ランク化した付加情報の平均を取り、総付加情報ランク値を求め、総付加情報ランク値が大きい順に順位をつける。
【００２９】
また、回帰率取得処理手段３１２は、ステップＳ１０４で、回帰率蓄積テーブル３２２の回帰率探索件数ｎを取得する。
ここで、回帰率探索件数とは、回帰率を算出する際に、表示順位の上位ｎ件のＵＲＬについて、回帰性をチェックすることを示す値である。
また、ここで回帰率は０に初期化される。
【００３０】
そして、回帰率取得処理手段３１２は、対象ＵＲＬ群ＵＬ２のうち、順序が上位ｎ件の対象ＵＲＬ・ＵＢｉ（ｉは１〜ｎの整数）について、ステップＳ１０５〜Ｓ１０８を繰り返し行うことで、回帰率を取得する。
まず、ステップＳ１０５で、ＵＲＬ情報蓄積テーブル３２１から対象ＵＲＬ・ＵＢｉに対応する検索キーワードの集合に、回帰率取得処理手段３１２は、検索キーワードＳＷ１が存在するか否かを判定する。
【００３１】
検索キーワードＳＷ１が存在する場合、回帰率取得処理手段３１２は、回帰性があると判断し、ステップＳ１０６で、回帰率を（１／ｎ＊１００）増加する。
例えば、対象ＵＲＬ・ＵＢｉのうち回帰率探索件数ｎ件全てに検索キーワードＳＷ１が含まれているとしたら、回帰率は１００となる。対象ＵＲＬ・ＵＢｉのうち回帰率探索件数ｎ件の半数に検索キーワードＳＷ１が含まれているとしたら、回帰率は５０となる。
【００３２】
次に、回帰率取得処理手段３１２は、ステップＳ１０７〜Ｓ１０８で、回帰率探索回数が回帰率探索件数ｎを超えたか否かを判定し、超えていないと判定された場合は、ステップＳ１０５〜Ｓ１０８の処理が繰り返され、超えていると判定された場合は、ステップＳ１０９へ進む。
【００３３】
ステップＳ１０９では、回帰率取得処理手段３１２は、算出した回帰率を、回帰率蓄積テーブル３２２において、対象ＵＲＬ・ＵＡに対応する回帰率に設定する。
そして、回帰率取得処理手段３１２は、対象ＵＲＬ群ＵＬ１の全ての回帰率取得処理が完了すると、対象ＵＲＬ群ＵＬ１の情報を対象ＵＲＬ順序化処理手段３１３に供給する。
【００３４】
対象ＵＲＬ順序化処理手段３１３では、まず、対象ＵＲＬ群ＵＬ１の全ての付加情報をランク化する。
つぎに、ランク化した全ての付加情報の平均値を取り、総付加情報ランク値を出す。さらに、総付加情報ランク値と回帰率の平均値を取り、総合ランク値を出す。ランク値が大きい順に、１番から順序をつける。そして、順序化した対象ＵＲＬ群ＵＬ１をＵＲＬ情報出力処理手段３１４に供給する。
ＵＲＬ情報出力処理手段３１４では、供給された対象ＵＲＬ群ＵＬ１を結果表示用のウェブページとして整形し、ネットワーク４を介して入力端末２に出力する。
【００３５】
なお、図４のステップＳ１０１における抽出キーワードＣＷ１の抽出方法は、上述した方法に限定されない。
例えば、検索キーワードＳＷ１を検索して得られるウェブページ内の文章そのものを解析し、抽出する方法が考えられる。具体的には、ウェブサイトのテキストから検索キーワードＳＷ１を含む文章を抽出し、その形態素解析を行うことで、検索キーワードＳＷ１と関連の強い自立語を抽出し、得られた自立語を抽出キーワードＣＷ１として利用する。
【００３６】
以上説明したように、本実施形態に係るウェブページ検索システムよれば、ウェブページを公開する複数のウェブサーバ１と、検索キーワードが入力される入力端末２と、検索キーワードが含まれるウェブページを検索するウェブページ検索サーバ３と、これらを通信可能に接続するネットワーク４とを備え、ウェブページ検索サーバ３が、検索キーワードを含むウェブページが検索された後、各ウェブページにおいて検索キーワードと関連の強い単語を抽出キーワードとして抽出するとともに、抽出キーワードが含まれるウェブページを検索し、これらのウェブページに検索キーワードが含まれている割合を回帰率として算出する回帰率取得処理手段３１２を備えることにより、単一のウェブページ内の閉じた情報だけでなく、ネットワーク４上に存在する他サイトの情報を利用した客観的な順序化を行うことができる。
その結果、意図的な表示順序の操作を抑制し、順序化の精度及び信頼性を飛躍的に向上させることができる。
【００３７】
また、ウェブページ検索サーバ３は、検索キーワードが含まれるウェブページのＵＲＬ及び付加情報を取得する対象ＵＲＬ情報取得処理手段３１１と、取得した各ＵＲＬについて回帰率を算出する回帰率取得処理手段３１２と、取得した各ＵＲＬを、その付加情報及び回帰率にもとづいて順序化する対象ＵＲＬ順序化処理手段３１３と、順序化したＵＲＬの情報を入力端末２に出力するＵＲＬ情報出力処理手段３１４とを備えるので、検索キーワードの入力から順序化したＵＲＬの出力までの一連の処理を円滑かつ迅速に実行することができる。
【００３８】
また、回帰率取得処理手段３１２は、抽出キーワードが含まれるウェブページのＵＲＬ及び付加情報を取得するとともに、各ＵＲＬを付加情報にもとづいて順序化し、上位ｎ件のＵＲＬを対象として検索キーワードが含まれる割合を算出するので、上位ｎ件のＵＲＬに限定することなく、検索キーワードが含まれる割合を算出する場合に比べ、回帰率の算出に係る速度及び精度を向上させることができる。
【００３９】
さらに、回帰率取得処理手段３１２は、検索キーワードを除き、各ウェブページにおいて出現頻度が最大の単語を抽出キーワードとして抽出するので、検索キーワードと関連の強い単語を確実かつ容易に抽出することができる。
【００４０】
以上、本発明のウェブページ検索システム、ウェブページ検索方法、ウェブページ検索サーバ及びウェブページ検索プログラムについて、一実施形態を示して説明したが、本発明は、上述した実施形態にのみ限定されるものではなく、特許請求の範囲内で種々の変更が可能であることは言うまでもない。
【産業上の利用可能性】
【００４１】
本発明は、入力された検索キーワードが含まれるウェブページを検索し、検索したウェブページのＵＲＬを順序化して出力するウェブページ検索システム、ウェブページ検索方法、ウェブページ検索サーバ及びウェブページ検索プログラムとして利用することができる。
【符号の説明】
【００４２】
１  ウェブサーバ
２  入力端末
３  ウェブページ検索サーバ
４  ネットワーク
３１  ＵＲＬ情報取得サーバ
３２  ＤＢサーバ
３１１  ＵＲＬ情報取得処理手段
３１２  回帰率取得処理手段
３１２  回帰率取得処理手段
３１３  順序化処理手段
３１４  情報出力処理手段
３２１  ＵＲＬ情報蓄積テーブル
３２２  回帰率蓄積テーブル
【図１】
2011022624.tif 000003
【図２】
2011022624.tif 000004
【図３】
2011022624.tif 000005
【図４】
2011022624.tif 000006